(57)【要約】 【課題】  本発明は、商品をカプセルおもちゃに詰め、複数のカプセルおもちゃの中から一定の確率で１つを放出する抽選器を提供することを目的とするものである。【解決手段】  本発明は、上記の課題を解決するために、側板２ｅの１つの面に設けた放出口２ａには半球状の回動式カプセル受け３を取り付けるとともに前記側板２ｅの別の面に設けた投入口２ａには回動して開く蓋４を取り付け、回転軸６ｂを中心に回転可能な８角柱状で中空の回転体２と、略３角形状の前板５ａ及び後板５ｂを底板５ｃにコ字状に取り付けた支持台５と、前記支持台５の上部を貫通させた前記回転体の回転軸６ｂに一端を接続し、他端に設けた固定つまみ６ａにより回転方向に回すことができるハンドル６とからなり、前記回転体２を回転させることにより、前記回動式カプセル受け３が半回転しながら中身を放出することを特徴とする抽選器１の構成とした。【選択図】  図１
2005329097.tif 000002
【特許請求の範囲】
【請求項１】
側板の１つの面に設けた放出口には半球状の回動式カプセル受けを取り付けるとともに前記側板の別の面に設けた投入口には回動して開く蓋を取り付け、回転軸を中心に回転可能な８角柱状で中空の回転体と、略３角形状の前板及び後板を底板にコ字状に取り付けた支持台と、前記支持台の上部を貫通させた前記回転体の回転軸に一端を接続し、他端に設けた固定つまみにより回転方向に回すことができるハンドルとからなり、前記回転体を回転させることにより、前記回動式カプセル受けが半回転しながら中身を放出することを特徴とする抽選器。
【請求項２】
回転体の回動式カプセル受けのある側板内壁に左ガイド及び右ガイドを設けることを特徴とする請求項１に記載の抽選器。
【請求項３】
上面が空き左壁が右壁より低く、前壁に湾曲した凹みを持つ受け箱が、回転体からの落下物を受け止めるようにしたことを特徴とする請求項１又は請求項２に記載の抽選器。
【請求項４】
回転体の中に、半球状の上容器及び下容器の中に、人形等を収納し密閉したカプセルおもちゃを入れたことを特徴とする請求項１、請求項２又は請求項３に記載の抽選器。
【発明の詳細な説明】
【技術分野】
【０００１】
本発明は、一定方向に回転させることにより、ランダムで中身を放出する抽選器に関する発明である。
【背景技術】
【０００２】
従来において、福引き等で抽選を行う際は、一般的にガラガラと呼ばれる抽選器を使用することがあり、抽選器の回転体を回転させ、回転体に設けた孔から落下した小さな球の色により当たり又は外れ等を判定していた。
【０００３】
また、本体容器の中にランダムに商品を収納したカプセルを入れておき、硬貨を入れてレバーを回転させると、カプセルを放出するという一般的にガチャポンと呼ばれるカプセルトイも存在する。
【０００４】
特許文献１に記載されているように、回転体に数字等を記した小玉を複数入れておき、回転体を回転させる度に次々と小玉が放出されることにより、ランダムな数字を得ることができる乱数表示器という発明も公開されている。
【特許文献１】特開２００４−００５３４２号公報
【発明の開示】
【発明が解決しようとする課題】
【０００５】
しかしながら、ガラガラ福引抽選器の場合、出て来た小球と引き替えに、小球の種類に応じた商品を手渡す必要があり手間が掛かるし、商品の在庫を確保しておく必要もあり、管理面において面倒である。
【０００６】
また、通常のカプセルトイの場合、全てのカプセルおもちゃが一定の確率で放出されるという訳ではなく、下の方にあるカプセルおもちゃから放出されていき、上の方にあるカプセルおもちゃがすぐに出る可能性はない。
【０００７】
そこで、本発明は、商品をカプセルおもちゃに詰め、複数のカプセルおもちゃの中から一定の確率で１つを放出する抽選器を提供することを目的とするものである。
【課題を解決するための手段】
【０００８】
本発明は、上記の課題を解決するために、側板２ｅの１つの面に設けた放出口２ａには半球状の回動式カプセル受け３を取り付けるとともに前記側板２ｅの別の面に設けた投入口２ｂには回動して開く蓋４を取り付け、回転軸６ｂを中心に回転可能な８角柱状で中空の回転体２と、略３角形状の前板５ａ及び後板５ｂを底板５ｃにコ字状に取り付けた支持台５と、前記支持台５の上部を貫通させた前記回転体の回転軸６ｂに一端を接続し、他端に設けた固定つまみ６ａにより回転方向に回すことができるハンドル６とからなり、前記回転体２を回転させることにより、前記回動式カプセル受け３が半回転しながら中身を放出することを特徴とする抽選器１の構成とした。
【発明の効果】
【０００９】
本発明は、以上の構成であるから以下の効果が得られる。第１に、抽選器の回転体を回転させることにより、回転体の中身が撹拌されるので、抽選を行うまでは、出てくる商品を予想することができない。
【００１０】
第２に、抽選器から実際の商品が出てくるので、抽選後すぐに商品を渡すことができる。また、抽選器の中を見ることで残りを確認することができるので、少なくなった場合はカプセルおもちゃをすぐに補充することができる。
【００１１】
第３に、回動式カプセル受けでカプセルおもちゃを受けて、放出する際に回転して外側を向くので、確実に１個ずつ放出できる。また、カプセルおもちゃを放出後はすぐに内側を向くので、蓋としての役割も果たす。
【００１２】
第４に、回転体の側板内壁に回動式カプセル受けに１個ずつカプセルおもちゃが入るように導く左ガイド及び右ガイドが設けられているので、カプセルおもちゃが詰まって出て来ないという事態が発生しない。
【００１３】
第５に、受け箱の前壁に湾曲した凹みがあるので、中に入ったカプセルおもちゃを取り出しやすい。また、右壁よりも回転体側にある左壁の方が低くなっているため、落下したカプセルおもちゃが中に入りやすい。
【発明を実施するための最良の形態】
【００１４】
中に詰める商品の大きさはほぼ一定のものとし、商品の大きさに応じてカプセルおもちゃの大きさ及び回動式カプセル受けの大きさ等を調整する。尚、商品については人形等が好ましく、食品等は適さない。
【実施例１】
【００１５】
以下に、添付図面に基づいて、本発明である抽選器について詳細に説明する。図１は、本発明である抽選器の斜視図である。
【００１６】
抽選器１は、側板２ｅの１つの面に設けた放出口２ａには半球状の回動式カプセル受け３を取り付け、前記側板２ｅの別の面に設けた投入口２ｂには回動して開く蓋４を取り付け、回転軸６ｂを中心に回転可能な８角柱状で中空の回転体２と、略３角形状の前板５ａ及び後板５ｂと前記前後板５ａ、５ｂをコ字状の形状に取り付ける底板５ｃからなる支持台５と、前記支持台５の上部を貫通させた前記回転体２の回転軸６ｂに一端を接続し、他端に設けた固定つまみ６ａにより回転方向に回すことができるハンドル６とからなり、前記回転体２を回転させることにより、前記回動式カプセル受け３が半回転しながら中身を放出することを特徴とする。
【００１７】
抽選器１は、回転体２、支持台５、ハンドル６、受け箱７及びカプセルおもちゃ８からなる。回転体２の中心には回転軸６ｂが通っており、回転軸６ｂは支持台５の上部を貫通してハンドル６の一端に固定されている。
【００１８】
ハンドル６を回すことにより回転体２も回転し、回転体２の放出口２ａから中に入っているカプセルおもちゃ８が放出され、受け箱７に落下する。尚、回転方向２ｄは一定であり、逆回転はしない。
【００１９】
図２は、本発明である抽選器の正面図であり、図３は、本発明である抽選器の平面図であり、図４は、本発明である抽選器の左側面図であり、図５は、本発明である抽選器の右側面図であり、図６は、本発明である抽選器の背面図である。図２から図６では、回転体２、支持台５及びハンドル６が一体となった図及び受け箱７の図を示す。
【００２０】
回転体２は、アクリル板等の合成樹脂を８角柱状に成形した中空の容器である。蛍光色等の色が付いているが、透明であるため中を見ることができ、カプセルおもちゃ８の残量を確認することができる。
【００２１】
回転体２の側板２ｅの１つの面には、カプセルおもちゃ８よりも一回り大きなサイズの放出口２ａが空いており、回動式カプセル受け３が取り付けられる。また、側板２ｅの別の面には、カプセルおもちゃ８を中に入れるための投入口２ｂが空いており、蓋４により塞がれる。
【００２２】
回動式カプセル受け３は、内側の空いた半球状の部材で、金属等の材質である。回動式カプセル受け３は、カプセルおもちゃ８をちょうど１個入れることができる大きさで、縁の１箇所に押さえ３ａが取り付けられる。
【００２３】
押さえ３ａは、長方形状の小板で、回動式カプセル受け３が必要以上に回転しないように押さえる部材である。回動式カプセル受け３が回転した際、押さえ３ａが放出口２ａの縁に当たり、半回転したところで止まる。
【００２４】
押さえ３ａの裏にはマグネット３ｂが取り付けられ、回転体２の側板２ｅでマグネット３ｂが当たる位置にはマグネット３ｃが取り付けられる。回動式カプセル受け３が外側を向いた際にカプセルおもちゃ８を落とす前に内側を向かないように留めておく。
【００２５】
マグネット３ｂ及びマグネット３ｃは、強力な磁石ではなく、カプセルおもちゃ８を落とした後は、押さえ３ａの重力により離れる程度の強さである必要がある。押さえ３ａが回転体２に当たった反動などで元に戻るのを防ぐために設ける。
【００２６】
図４に示すように、軸３ｄは、２本の棒状の部材で、１つは、一端が回動式カプセル受け３の左縁に、他端が回転体２の側板２ｅの左端に繋がり、もう１つは、一端が回動式カプセル受け３の右縁に、他端が回転体２の側板２ｅの右端に繋がっており、軸３ｄを中心に回動式カプセル受け３が回転する。
【００２７】
押さえ３ａが上にあるきは、回動式カプセル受け３は内側を向き、押さえ３ａが下にあるときは、回動式カプセル受け３は外側を向く。押さえ３ａが回転体２の放出口２ａの上側又は下側に当たるので、押さえ３ａが動ける範囲内で、回動式カプセル受け３は回転することができる。
【００２８】
図２又は図３に示すように、回動式カプセル受け３が内側を向いているときは、半球の箇所が回転体２から飛び出しており、図６に示すように、回動式カプセル受け３が外側を向いているときは、半球の箇所が回転体２の中に入り込む。
【００２９】
蓋４は、投入口２ｂを塞ぐ板で回転体２と同じ材質である。蓋４の上部を蝶番４ａにより回転体２に接続し、蓋４の下部を上方に回動させて開くことができる。カプセルおもちゃ８を投入９ａするとき以外は、蓋４の下部を留具４ｂにより閉めておく。
【００３０】
蝶番４ａは、蓋４の上部と回転体２の投入口２ｂの上部とを固定し、かつ、蓋４を開閉させるための部材で、蝶番４ａの付いた蓋４の上部を中心に回動させる。蝶番４ａにより蓋４は、図６に示すように、蓋４の下部を持ち上げるようにして回動する。
【００３１】
留具４ｂは、蓋４が開かないように留める部材である。長方形状の小板の一端を固定し、上下に回動させることにより、蓋４をロックしたり、ロックを外したりする。図５に示すように、留具４ｂが上側を向いているときは、蓋４はロックされ開かず、留具４ｂが下側を向いているときは、蓋４はロックされず開くことができる。
【００３２】
また、蓋４が回動により回転体２の内側まで入ってしまわないように、投入口２ｂの下部に押さえを設けて、蓋４が留まるようにする。留具４ｂにより外側に開かなくても、内側に入ってしまっては意味がないからである。
【００３３】
図５に示すように、指孔４ｃは、指を掛けて蓋４を開けやすくするための孔であり、蓋４の下部に空けられる。指孔４ｃを利用して蓋４の下部を引き上げることで、蓋４を開けることができる。
【００３４】
支持台５は、透明なアクリル板等で出来た前板５ａ、後板５ｂ及び底板５ｃからなる。前板５ａ及び後板５ｂは略三角形状であり、前板５ａの底辺と後板５ｂの底辺とを繋いでいるのが底板５ｃである。
【００３５】
前板５ａ及び後板５ｂの上部には孔が空けられ、回転軸６ｂが通っているが、回転軸６ｂとは固定されず、ハンドル６を回転した際に一緒に回るのは回転体２のみである。尚、回転体２と支持台５とが接触しないように、間にリング状の部材を挟み、回転しやすいようにする。
【００３６】
回転体２の正面又は背面には、広告２ｃなど自由に表示して宣伝することができる。また、支持台５の前板５ａ又は後板５ｂの表面にはロゴマーク５ｄやキャラクター等を表示することができる。
【００３７】
図４又は図５に示すように、支持台５は、回転体２を浮かせて回転できるように支える台である。底板５ｃは、置いた場所に対して水平であり、抽選器１が揺れたりしないようにしっかりと支える。
【００３８】
ハンドル６は、略長方形状の板で、支持台５同様、材質は透明なアクリル板等である。一端は回転軸６ｂに固定され、他端には固定つまみ６ａが設けられる。固定つまみ６ａを持って回転方向２ｄに回すことにより、回転軸６ｂに回転を伝える。
【００３９】
回転軸６ｂは、回転体２の中心を通り、回転体２の回転の中心となる軸である。回転軸６ｂは、支持台５の上部を貫通しているが、回転軸６ｂが通ることにより、支持台５が回転体２を浮かしている。
【００４０】
支持台５を貫通して回転軸６ｂとハンドル６を固定することにより、ハンドル６を通して回転体２を回転させることができる。図２に示すように、ハンドル６は、正面側に取り付けられており、使用者が右手で固定つまみ６ａを持ち、時計回りに回転させるのに適した構造である。
【００４１】
固定つまみ６ａは、円柱状をしており、図３に示すように、ハンドル６から外側に出るように取り付けられる。回転体２の中身が多くなると重くなるので、固定つまみ６ａは持ちやすい形状にする。
【００４２】
力のつり合いとしては、固定つまみ６ａが力点、回転軸６ｂが支点、回転体２が作用点という関係であり、ハンドル６の長さを長くすることで、回転体２を回転させるのに必要な力は小さくなる。
【００４３】
受け箱７は、上面が空いた箱であり、回転体２と同様の材質である。側面には、前壁７ａ、後壁７ｂ、左壁７ｃ及び右壁７ｄがあるが、回転体２から落下したカプセルおもちゃ８を受け止めやすいように、回転体２側にある左壁７ｃの高さを反対側の右壁７ｄよりも下げてある。
【００４４】
受け箱７は、カプセルおもちゃ８が１個入る大きさがあれば充分であるが、余裕を持たせて左壁７ｃから右壁７ｄまでの幅を若干広くする。また、中に入ったカプセルおもちゃ８を取り出しやすいように前壁７ａに湾曲させた凹みを設ける。
【００４５】
商品自体はカプセルおもちゃ８で保護されているが、受け箱７の底にスポンジ等を敷いて、カプセルおもちゃ８が落下した際の衝撃を和らげれば、受け箱７又はカプセルおもちゃ８が割れたりするのを防ぐことができる。
【００４６】
図７は、本発明である抽選器の本体の断面図であり、図８は、本発明である抽選器の本体内部のガイドを示す図である。図７では、回転体２の回動式カプセル受け３が下側に来た状態を示す。
【００４７】
回転体２は、回転軸６ｂを中心に時計回りに回転する。図７より前の段階では回動式カプセル受け３は右側にあり、カプセルおもちゃ８が下に溜まっているとする。回転により図７の段階になると、回動式カプセル受け３に左側からカプセルおもちゃ８が入り込むことになる。
【００４８】
しかし、カプセルおもちゃ８は、回転体２の中に複数入っており、様々な方向から回動式カプセル受け３に入り込む可能性があり、場合によっては複数同時に入り込もうとして詰まってしまうことも考えられる。
【００４９】
そこで、回動式カプセル受け３にカプセルおもちゃ８が一定方向に流れるように制御するため、回動式カプセル受け３がある側板２ｅの内壁に左ガイド２ｆ及び右ガイド２ｇを設ける。
【００５０】
図８では、図７における回動式カプセル受け３の左側が上側に来るように示す。カプセルおもちゃ８は上側から転がりながら移動９し、左ガイド２ｆ及び右ガイド２ｇに導かれて、回動式カプセル受け３の中に落ちる。
【００５１】
回転体２の回転方向２ｄは一定であるため、カプセルおもちゃ８の移動９も同じとなるが、カプセルおもちゃ８の量が多い場合には、逆の流れから入り込む可能性もあるので、逆方向からは入りづらくしておく。
【００５２】
また、カプセルおもちゃ８の量が多いと、回動式カプセル受け３の回転を妨げる可能性もあるので、回動式カプセル受け３が動く範囲についても、保護するためのガイドを設けるようにしても良い。
【００５３】
図９は、本発明である抽選器の中に入れるカプセルの正面図であり、図１０は、本発明である抽選器のカプセルを開いた状態を示す図である。
【００５４】
カプセルおもちゃ８は、中空で半球状の上容器８ａ及び下容器８ｂの空いた面同士を合わせて球状にした容器の中に人形等８ｅを詰めこんだものである。人形等８ｅはカプセルおもちゃ８に収納できるものであれば特に何でも良い。
【００５５】
上容器８ａは、透明で堅めのプラスチックを半球状に成形したものであり、下容器８ｂは、透明ではないプラスチックを半球状に成形したもので、上容器８ａを下容器８ｂに嵌め込むため、下容器８ｂの方が上容器８ａよりも若干大きい。
【００５６】
カプセルおもちゃ８は、図１０に示すように、上容器８ａと下容器８ｂを外すことにより開き、人形等８ｅを取り出すことができる。カプセルおもちゃ８に人形等８ｅを入れたまま保管容器として使用することもできる。
【００５７】
上容器８ａの上嵌合部８ｃを下容器８ｂの下嵌合部８ｄに嵌め込むことにより、カプセルおもちゃ８は閉じられる。カプセルおもちゃ８に衝撃が加わっても、中の人形等８ｅを保護することができる。
【００５８】
上容器８ａは堅いため変形しようとすると割れてしまうが、下容器８ｂは若干変形させることができ、変形させてもすぐに形状は元に戻る。カプセルおもちゃ８を閉じた際、下嵌合部８ｄが上嵌合部８ｃを押さえ付けるので、しっかり閉じることができる。
【００５９】
上容器８ａが透明であるため中の人形等８ｅが何であるか確認することができ、抽選の際に欲しい商品が出ないかと期待感を高めることができる。抽選器１の中に欲しい商品があるかどうかは、抽選を行う動機にも繋がる。
【００６０】
図１１は、本発明である抽選器の中にカプセルを入れる状況を示す側面斜視図である。抽選を行うために、あらかじめ回転体２の中にカプセルおもちゃ８を複数入れておく必要がある。
【００６１】
ハンドル６を回して回転体２の投入口２ｂが横又は上に来るようにし、蓋４を開く。開く際は、留具４ｂのロックを外し、指孔４ｃにより蓋４の下部を引き上げるように回動させる。
【００６２】
蓋４を開いたら、投入口２ｂからカプセルおもちゃ８を回転体２の中に投入９ａしていき、カプセルおもちゃ８の投入９ａがし終わったら蓋４を閉めて留具４ｂでロックし、回転中に開かないようにする。
【００６３】
図１２は、本発明である抽選器を回転させ、中のカプセルを出す流れを示す図である。抽選器１の回転体２は８角形であるため、第１状態１０から第８状態１０ｇの８つの段階がある。
【００６４】
第１状態１０は、カプセルおもちゃ８を放出し終わり、新たなカプセルおもちゃ８の抽選を行う段階である。回転軸６ｂを中心に回転体２が回転９ｂすることにより回動式カプセル受け３の位置は右から右下に移動する。
【００６５】
回動式カプセル受け３は、カプセルおもちゃ８を放出したことにより、押さえ３ａのある側が重くなり、また、重力がマグネット３ｂ及びマグネット３ｃの力よりも大きくなり、閉動作９ｃする。閉動作９ｃすることにより、外側を向いていた回動式カプセル受け３が内側を向き、カプセルおもちゃ８を受けることができるようになる。
【００６６】
第２状態１０ａは、抽選されたカプセルおもちゃ８を回動式カプセル受け３で受け取る段階である。回転９ｂにより回転体２における回動式カプセル受け３の位置は右下から下に移動する。
【００６７】
回動式カプセル受け３でカプセルおもちゃ８を受けるため、放出口２ａが下を向いてもすぐに落下することはない。回動式カプセル受け３で受けておき、落下させるべき段階まで保持する。放出口２ａの大きさは、必要に応じて大きい径としてもよいし、小さい径
【００６８】
回転体２の中は撹拌されるが、カプセルおもちゃ８を回動式カプセル受け３で受けた時点で抽選は完了する。回動式カプセル受け３に入っているカプセルおもちゃ８が後の段階で放出される。
【００６９】
第３状態１０ｂは、カプセルおもちゃ８を回動式カプセル受け３で受けたまま回転する段階である。回転９ｂにより回転体２における回動式カプセル受け３の位置が下から左下に移動する。
【００７０】
カプセルおもちゃ８が入った回動式カプセル受け３は、カプセルおもちゃ８の重みにより受け面を上側に向けようとするので、開動作９ｄにより回転体２の内側から外側を向き始める。
【００７１】
第４状態１０ｃは、第３状態１０ｂと同様に、カプセルおもちゃ８を回動式カプセル受け３で受けたまま回転する段階である。回転９ｂにより回転体２における回動式カプセル受け３の位置が左下から左に移動する。
【００７２】
回動式カプセル受け３は、カプセルおもちゃ８が入っているため、受け面を上側に向けようとして開動作９ｄする。開動作９ｄにより回動式カプセル受け３が外側を向き、カプセルおもちゃ８が現れる。
【００７３】
第５状態１０ｄは、カプセルおもちゃ８を回動式カプセル受け３で受けたまま保持する段階である。回転９ｂにより回転体２における回動式カプセル受け３の位置が左から左上に移動する。
【００７４】
開動作９ｄにより回動式カプセル受け３は外側を向き、回動式カプセル受け３の押さえ３ａにあるマグネット３ｂと回転体２側にあるマグネット３ｃとがくっつき、振動等でも動かないように固定される。
【００７５】
第６状態１０ｅは、第５状態１０ｄと同様に、カプセルおもちゃ８を回動式カプセル受け３で受けたまま保持する段階である。回転９ｂにより回転体２における回動式カプセル受け３の位置が左上から上に移動する。
【００７６】
回動式カプセル受け３が上に来た時点で、カプセルおもちゃ８は外側に出ている状態なので、落とすまでもなく、選ばれたカプセルおもちゃ８が確認でき、取り出してしまうことも可能である。
【００７７】
第７状態１０ｆは、回動式カプセル受け３からカプセルおもちゃ８を落とそうと傾ける段階である。回転９ｂにより回転体２における回動式カプセル受け３の位置が上から右上に移動する。
【００７８】
回動式カプセル受け３は、押さえ３ａにより回転が止められるので、受け面を上に向けようとしても傾いたままとなり、カプセルおもちゃ８が徐々に回動式カプセル受け３の中から転がり落ちやすくなる。
【００７９】
第８状態１０ｇは、抽選されたカプセルおもちゃ８を放出する段階である。回転９ｂにより回転体２における回動式カプセル受け３の位置が右上から右に移動し、カプセルおもちゃ８は落下９ｅする。
【００８０】
カプセルおもちゃ８が落下することにより、回動式カプセル受け３の押さえ３ａのある側が重くなり、マグネット３ｂとマグネット３ｃとがくっつく力を振り切り、閉動作９ｃを開始する。
【００８１】
第８状態１０ｇの次はまた第１状態１０に戻り、同様に繰り返される。初期状態が第１状態１０でない場合は、第１状態１０まで回転９ｂさせてから、一連の動作を開始するものとする。
【００８２】
以上のように、本発明である抽選器１は、抽選器１の回転体２を回転させることにより、回転体２の中身が撹拌されるので、抽選を行うまでは、出てくる商品を予想することができない。
【００８３】
抽選器１から実際の商品が出てくるので、抽選後すぐに商品を渡すことができる。また、抽選器１の中を見ることで残りを確認することができるので、少なくなった場合はカプセルおもちゃ８をすぐに補充することができる。
【００８４】
回動式カプセル受け３でカプセルおもちゃ８を受けて、放出する際に回転して外側を向くので、確実に１個ずつ放出できる。また、カプセルおもちゃ８を放出後はすぐに内側を向くので、蓋としての役割も果たす。
【００８５】
回転体２の側板２ｅ内壁に回動式カプセル受け３に１個ずつカプセルおもちゃ８が入るように導く左ガイド２ｆ及び右ガイド２ｇが設けられているので、カプセルおもちゃ８が詰まって出て来ないという事態が発生しない。
【００８６】
受け箱７の前壁７ａに湾曲した凹み７ｅがあるので、中に入ったカプセルおもちゃ８を取り出しやすい。また、右壁７ｄよりも回転体２側にある左壁７ｃの方が低くなっているため、落下したカプセルおもちゃ８が中に入りやすい。
【産業上の利用可能性】
【００８７】
球体状の商品であれば、カプセルおもちゃの容器に詰めることなくそのまま回転体に入れることができる。また、容器が不要な人からは回収して、商品を詰め直すことにより再利用することができる。
【図面の簡単な説明】
【００８８】
【図１】本発明である抽選器の斜視図である。
【図２】本発明である抽選器の正面図である。
【図３】本発明である抽選器の平面図である。
【図４】本発明である抽選器の左側面図である。
【図５】本発明である抽選器の右側面図である。
【図６】本発明である抽選器の背面図である。
【図７】本発明である抽選器の本体の断面図である。
【図８】本発明である抽選器の本体内部のガイドを示す図である。
【図９】本発明である抽選器の中に入れるカプセルの正面図である。
【図１０】本発明である抽選器のカプセルを開いた状態を示す図である。
【図１１】本発明である抽選器の中にカプセルを入れる状況を示す側面斜視図である。
【図１２】本発明である抽選器を回転させ、中のカプセルを出す流れを示す図である。
【符号の説明】
【００８９】
１        抽選器
２        回転体
２ａ      放出口
２ｂ      投入口
２ｃ      広告
２ｄ      回転方向
２ｅ      側板
２ｆ      左ガイド
２ｇ      右ガイド
３        回動式カプセル受け
３ａ      押さえ
３ｂ      マグネット
３ｃ      マグネット
３ｄ      軸
４        蓋
４ａ      蝶番
４ｂ      留具
４ｃ      指孔
５        支持台
５ａ      前板
５ｂ      後板
５ｃ      底板
５ｄ      ロゴマーク
６        ハンドル
６ａ      固定つまみ
６ｂ      回転軸
７        受け箱
７ａ      前壁
７ｂ      後壁
７ｃ      左壁
７ｄ      右壁
７ｅ      凹み
８        カプセルおもちゃ
８ａ      上容器
８ｂ      下容器
８ｃ      上嵌合部
８ｄ      下嵌合部
８ｅ      人形等
９        移動
９ａ      投入
９ｂ      回転
９ｃ      閉動作
９ｄ      開動作
９ｅ      落下
１０        第１状態
１０ａ      第２状態
１０ｂ      第３状態
１０ｃ      第４状態
１０ｄ      第５状態
１０ｅ      第６状態
１０ｆ      第７状態
１０ｇ      第８状態
【図１】
2005329097.tif 000003
【図２】
2005329097.tif 000004
【図３】
2005329097.tif 000005
【図４】
2005329097.tif 000006
【図５】
2005329097.tif 000007
【図６】
2005329097.tif 000008
【図７】
2005329097.tif 000009
【図８】
2005329097.tif 000010
【図９】
2005329097.tif 000011
【図１０】
2005329097.tif 000012
【図１１】
2005329097.tif 000013
【図１２】
2005329097.tif 000014